(57)【特許請求の範囲】
【請求項１】
低周波治療器であって、
前記低周波治療器は、本体、第１導子、第２導子、第１導子コード、第２導子コード、および、接続コードを有し、
前記本体は、低周波電流を出力するための構造を有し、
前記第１導子コードは、前記本体と前記第１導子とを電気的に接続し、
前記第２導子コードは、前記本体と前記第２導子とを電気的に接続し、
前記接続コードは、前記第１導子と前記第２導子とを互いに接続し、または、前記第１導子コードと前記第２導子コードとを互いに接続し、
前記第１導子および前記第２導子は、パッドが取り付けられる凹状に湾曲した表面を有し、
前記第１導子コード、前記第２導子コード、および、前記接続コードは、前記本体を吊り下げることが可能なコード環を構成している
低周波治療器。
【請求項２】
前記低周波治療器は、第１ガイド構造および第２ガイド構造をさらに有し、
前記第１ガイド構造は、前記第１導子を前記コード環に沿って前記コード環に対して移動させ、
前記第２ガイド構造は、前記第２導子を前記コード環に沿って前記コード環に対して移動させる
請求項１に記載の低周波治療器。
【請求項３】
前記第１導子および前記第２導子は、それぞれ導子本体、電極、ガイド部、および、接続具を有し、
前記導子本体は、基礎部および被覆部を有し、前記基礎部と前記被覆部とが互いに組み合わせられることにより構成され、前記基礎部および前記被覆部に囲まれた内部空間を有し、
前記ガイド部は、前記基礎部に形成され、前記内部空間に配置され、
前記接続具は、前記ガイド部に嵌め込まれ、前記ガイド部に沿って前記ガイド部に対して移動し、
前記電極は、前記基礎部に取り付けられ、
前記第１導子コードは、前記本体と前記第１導子の接続具とを互いに接続し、
前記第１導子コードの導線は、前記第１導子の電極と接続され、
前記第２導子コードは、前記本体と前記第２導子の接続具とを互いに接続し、
前記第２導子コードの導線は、前記第２導子の電極と接続され、
前記接続コードは、前記第１導子の接続具と前記第２導子の接続具とを互いに接続する
請求項１に記載の低周波治療器。
【請求項４】
前記導子本体は、第１挿通孔および第２挿通孔を有し、
前記基礎部は、一方の端部に凹部を有し、他方の端部に凹部を有し
前記被覆部は、一方の端部に凹部を有し、他方の端部に凹部を有し
前記第１挿通孔は、前記基礎部の一方の凹部および前記被覆部の一方の凹部が互いに対向することにより形成され、
前記第２挿通孔は、前記基礎部の他方の凹部および前記被覆部の他方の凹部が互いに対向することにより形成され、
前記第１導子コードは、前記第１導子の第１挿通孔から前記第１導子の導子本体の外部に引き出され、
前記第２導子コードは、前記第２導子の第１挿通孔から前記第２導子の導子本体の外部に引き出され、
前記接続コードは、前記第１導子の第２挿通孔から前記第１導子の導子本体の外部に引き出され、前記第２導子の第２挿通孔から前記第２導子の導子本体の外部に引き出されている
請求項３に記載の低周波治療器。
【請求項５】
前記接続具は、第１部材および第２部材を有し、前記第１部材および前記第２部材が互いに組み合わせられることにより構成され、
前記第１導子の接続具の前記第１部材および前記第２部材は、前記第１導子コードおよび前記接続コードを挟み込み、
前記第２導子の接続具の前記第１部材および前記第２部材は、前記第２導子コードおよび前記接続コードを挟み込んでいる
請求項３または４に記載の低周波治療器。
【請求項６】
前記接続具は、導出口を有し、
前記導出口は、前記第１部材および前記第２部材の内部と外部とを互いに連通し、
前記第１導子コードの導線は、前記第１導子の接続具の導出口から前記第１導子の接続具の外部に引き出され、
前記第２導子コードの導線は、前記第２導子の接続具の導出口から前記第２導子の接続
具の外部に引き出されている
請求項５に記載の低周波治療器。
【請求項７】
前記本体は、周囲面、底面、突出部、スイッチ、および、表示部を有し、
前記周囲面は、互いに連続し、かつ、表裏の関係を形成する表面および裏面を有し、
前記突出部は、前記本体の一方の端部に形成され、
前記底面は、前記本体の他方の端部に形成され、前記表面および前記裏面のそれぞれと連続し、
前記スイッチは、前記底面に形成され、
前記表示部は、前記表面に形成され、
前記第１導子コードは、前記突出部と前記第１導子とを電気的に接続し、
前記第２導子コードは、前記突出部と前記第２導子とを電気的に接続する
請求項１に記載の低周波治療器。
【請求項８】
前記第１導子および前記第２導子は、それぞれ導子本体、電極、ガイド部、および、接続具を有し、
前記電極は、前記導子本体に取り付けられ、前記ガイド部と電気的に接続され、
前記ガイド部は、前記導子本体に形成され、
前記接続具は、前記ガイド部に嵌め込まれ、前記ガイド部と電気的に接続され、前記ガイド部に沿って前記ガイド部に対して移動し、
前記第１導子コードは、前記本体と前記第１導子の接続具とを電気的に接続し、
前記第２導子コードは、前記本体と前記第２導子の接続具とを電気的に接続する
請求項１に記載の低周波治療器。
【発明の詳細な説明】
【技術分野】
【０００１】
本発明は、低周波治療器に関するものである。
【背景技術】
【０００２】
従来、低周波治療器の多くは、その低周波電流を発生する本体と導子とが、コードを介して接続された構造を有している。また、通常、導子には粘着性のパッドが設けられており、導子は、そのパッドが貼り付くことで施療部位に固定される。なお、特許文献１には、首や脚部等の施療部位に装着可能な略Ｕ字型の支持体を備える構成が開示されている。そして、その貼り付けられたパッドを当接面として、施療部位に対する低周波治療を行う構成になっている。
【先行技術文献】
【特許文献】
【０００３】
【特許文献１】特開２０００−７９１６９号公報
【発明の概要】
【発明が解決しようとする課題】
【０００４】
しかしながら、パッドの粘着力は、たとえ携帯可能な小型の低周波治療器であったとしても、その本体の重さを支えるには不十分である。そして、上記従来例のような支持体は、携帯に不向きである。このため、使用者は、その施療部位から導子が外れないように、本体を支える何らかの手当て（例えば、手に持つ、或いは衣服のポケットに入れる等）をしなければならないのが実情あり、この点において、なお改善の余地を残すものとなっていた。
【０００５】
本発明は、簡素な構成であって、本体を支える手間を省略することが可能な利便性が高い低周波治療器を提供することを目的としている。
【課題を解決するための手段】
【０００６】
〔１〕本発明の一形態に従う低周波治療器は、本体、第１導子、第２導子、第１導子コード、第２導子コード、および、接続コードを有し、前記本体は、低周波電流を出力するための構造を有し、前記第１導子コードは、前記本体と前記第１導子とを電気的に接続し、前記第２導子コードは、前記本体と前記第２導子とを電気的に接続し、前記接続コードは、前記第１導子と前記第２導子とを互いに接続し、または、前記第１導子コードと前記第２導子コードとを互いに接続し、前記第１導子および前記第２導子は、パッドが取り付けられる凹状に湾曲した表面を有し、前記第１導子コード、前記第２導子コード、および、前記接続コードは、前記本体を吊り下げることが可能なコード環を構成している。
〔２〕前記低周波治療器の一形態によれば、前記低周波治療器は、第１ガイド構造および第２ガイド構造をさらに有し、前記第１ガイド構造は、前記第１導子を前記コード環に沿って前記コード環に対して移動させ、前記第２ガイド構造は、前記第２導子を前記コード環に沿って前記コード環に対して移動させる。
〔３〕前記低周波治療器の一形態によれば、前記第１導子および前記第２導子は、それぞれ導子本体、電極、ガイド部、および、接続具を有し、前記導子本体は、基礎部および被覆部を有し、前記基礎部と前記被覆部とが互いに組み合わせられることにより構成され、前記基礎部および前記被覆部に囲まれた内部空間を有し、前記ガイド部は、前記基礎部に形成され、前記内部空間に配置され、前記接続具は、前記ガイド部に嵌め込まれ、前記ガイド部に沿って前記ガイド部に対して移動し、前記電極は、前記基礎部に取り付けられ、前記第１導子コードは、前記本体と前記第１導子の接続具とを互いに接続し、前記第１導子コードの導線は、前記第１導子の電極と接続され、前記第２導子コードは、前記本体と前記第２導子の接続具とを互いに接続し、前記第２導子コードの導線は、前記第２導子の電極と接続され、前記接続コードは、前記第１導子の接続具と前記第２導子の接続具とを互いに接続する。
〔４〕前記低周波治療器の一形態によれば、前記導子本体は、第１挿通孔および第２挿通孔を有し、前記基礎部は、一方の端部に凹部を有し、他方の端部に凹部を有し前記被覆部は、一方の端部に凹部を有し、他方の端部に凹部を有し前記第１挿通孔は、前記基礎部の一方の凹部および前記被覆部の一方の凹部が互いに対向することにより形成され、前記第２挿通孔は、前記基礎部の他方の凹部および前記被覆部の他方の凹部が互いに対向することにより形成され、前記第１導子コードは、前記第１導子の第１挿通孔から前記第１導子の導子本体の外部に引き出され、前記第２導子コードは、前記第２導子の第１挿通孔から前記第２導子の導子本体の外部に引き出され、前記接続コードは、前記第１導子の第２挿通孔から前記第１導子の導子本体の外部に引き出され、前記第２導子の第２挿通孔から前記第２導子の導子本体の外部に引き出されている。
〔５〕前記低周波治療器の一形態によれば、前記接続具は、第１部材および第２部材を有し、前記第１部材および前記第２部材が互いに組み合わせられることにより構成され、前記第１導子の接続具の前記第１部材および前記第２部材は、前記第１導子コードおよび前記接続コードを挟み込み、前記第２導子の接続具の前記第１部材および前記第２部材は、前記第２導子コードおよび前記接続コードを挟み込んでいる。
〔６〕前記低周波治療器の一形態によれば、前記接続具は、導出口を有し、前記導出口は、前記第１部材および前記第２部材の内部と外部とを互いに連通し、前記第１導子コードの導線は、前記第１導子の接続具の導出口から前記第１導子の接続具の外部に引き出され、前記第２導子コードの導線は、前記第２導子の接続具の導出口から前記第２導子の接続具の外部に引き出されている。
〔７〕前記低周波治療器の一形態によれば、前記本体は、周囲面、底面、突出部、スイッチ、および、表示部を有し、前記周囲面は、互いに連続し、かつ、表裏の関係を形成する表面および裏面を有し、前記突出部は、前記本体の一方の端部に形成され、前記底面は、前記本体の他方の端部に形成され、前記表面および前記裏面のそれぞれと連続し、前記スイッチは、前記底面に形成され、前記表示部は、前記表面に形成され、前記第１導子コードは、前記突出部と前記第１導子とを電気的に接続し、前記第２導子コードは、前記突出部と前記第２導子とを電気的に接続する。
〔８〕前記低周波治療器の一形態によれば、前記第１導子および前記第２導子は、それぞれ導子本体、電極、ガイド部、および、接続具を有し、前記電極は、前記導子本体に取り付けられ、前記ガイド部と電気的に接続され、前記ガイド部は、前記導子本体に形成され、前記接続具は、前記ガイド部に嵌め込まれ、前記ガイド部と電気的に接続され、前記ガイド部に沿って前記ガイド部に対して移動し、前記第１導子コードは、前記本体と前記第１導子の接続具とを電気的に接続し、前記第２導子コードは、前記本体と前記第２導子の接続具とを電気的に接続する。
【発明の効果】
【００１１】
本低周波治療器は、簡素な構成であって、本体を支える手間を省略することが可能な高い利便性を有する。
【図面の簡単な説明】
【００１２】
【図１】第１の実施形態における低周波治療器の斜視図。
【図２】第１の実施形態における導子の分解斜視図。
【図３】第１の実施形態におけるカバーを外した導子の斜視図。
【図４】連結ケースの分解斜視図。
【図５】（ａ）第１コネクタの斜視図、（ｂ）第２コネクタの斜視図。
【図６】（ａ）（ｂ）第２の実施形態における低周波治療器の概略構成図。
【図７】第３の実施形態における低周波治療器の概略構成図。
【発明を実施するための形態】
【００１３】
（第１の実施形態）
以下、本発明を具体化した第１の実施形態について説明する。
図１に示すように、低周波治療器１は、低周波電流を発生する本体２と、本体２から延びる二本の導子コード３と、各導子コード３を介して本体２に接続された導子４とを備えている。
【００１４】
詳述すると、本体２は、扁平略円筒状に形成されている。そして、その内部には、回路基板や電池等（図示略）が収容されている。また、本体２の軸方向端部（同図中、上側の端部）には、突出部５が形成されており、各導子コード３は、その側面５ａ，５ｂから、互いに相反する方向（同図中、略左右方向）に引き出されている。そして、各導子４は、それぞれ、その対応する導子コード３の先端３ａに設けられている。
【００１５】
また、各導子４は、導電性ゴム６が設けられた下カバー７を有している。導電性ゴム６は、略円板状に形成されている。また、下カバー７は、凹状に湾曲した略楕円形状を有している。そして、導電性ゴム６は、下カバー７に形成された収容凹部８内において、その表面６ａが下カバー７と面一になるように配置されている。
【００１６】
なお、使用状態では、導電性ゴム６の表面６ａに粘着性のパッド（図示略）が貼り付けられる。そして、各導子４は、そのパッドを貼り付ける態様で施療部位に当接される。
さらに、本実施形態の低周波治療器１は、各導子４を接続部として各導子コード３間を接続する接続コード１０を有している。そして、これら各導子コード３及び接続コード１０により、本体２を吊り下げ可能なコード環１１が形成されている。
【００１７】
詳述すると、低周波治療器１は、本体２を吊り下げる態様でコード環１１を首に掛けたとき、その各導子４が首筋に対応して配置されるように構成されている。そして、使用者は、この首から本体２を吊り下げた状態で、その首筋に対する低周波治療を行うことが可能となっている。
【００１８】
なお、本実施形態では、低周波治療器１の作動を制御するためのスイッチ１２は、本体２における突出部５とは反対側の端部（同図中、下側の端部）に設けられている。また、本体２は、その外周に表裏の関係にある略平坦な二面を有している。そして、その片方の面２ａに、ステータス表示部１３や電池蓋１４、或いは注意事項表示部１５等を集中的に配置することによって、デザイン自由度を高める構成になっている。
【００１９】
さらに詳述すると、図２に示すように、各導子４は、略楕円状の外形を有して湾曲略板状に形成されたベース２０と、その凸面２０ａを覆うドーム状のカバー２１とを備えている。また、各導子４は、導子コード３と電気的に接続される板状電極２２を備えている。なお、板状電極２２は、ベース２０に対応するように湾曲して形成された円状の外形を有している。そして、導電性ゴム６は、その裏面６ｂが板状電極２２に接触する状態でベース２０に保持される。
【００２０】
すなわち、本実施形態では、ベース２０の凹面２０ｂにより下カバー７が構成されている（図１参照）。また、導電性ゴム６は、板状電極２２を挿入体（インサート）として金型成形される。なお、板状電極２２には、複数の貫通孔２３が設けられており、これにより、成型後の導電性ゴム６には、各貫通孔２３に係合する複数の係合突部２４が形成される。そして、導電性ゴム６は、その周縁を抱え込むように板状電極２２と密着した状態で一体成型されている。
【００２１】
また、図２及び図３に示すように、板状電極２２には、その組付状態においてベース２０の凸面２０ａ側に突出する複数の折り返し片２５が形成されている。そして、板状電極２２は、これらの折り返し片２５を介してベース２０に保持され、及び導子コード３に接続される。
【００２２】
具体的には、各折り返し片２５のうち、対向する位置関係にある二片（２５ａ，２５ｂ）には、貫通孔２６が形成されている。また、ベース２０の凸面２０ａには、これら各貫通孔２６に対応する一対の螺子止め部２７が設けられている。そして、板状電極２２は、その各貫通孔２６に螺子２８が挿通され、各螺子２８がベース２０の各螺子止め部２７に螺子付けられることにより、導電性ゴム６とともにベース２０に支承されるようになっている。
【００２３】
さらに、各折り返し片２５のうちの一片（２５ｃ）には、各導子コード３の導線３０を挿通可能な挿通孔３１が形成されている。そして、その挿通孔３１に挿通された導線３０が、折り返し片２５ｃと接合することにより、板状電極２２と導子コード３、すなわち各導子４と各導子コード３とが、電気的に接続されるようになっている。
【００２４】
また、各導子４は、接続コード１０と各導子コード３とを接続する接続具としての連結ケース４０を備えている。
図４に示すように、本実施形態では、接続コード１０の先端１０ａ及び各導子コード３の先端３ａには、それぞれ、径方向に突出する平板状のフランジ４１が形成されている。そして、連結ケース４０は、その２つのフランジ４１を挟み込む態様で嵌合する第１部材４３及び第２部材４４を備えている。
【００２５】
具体的には、第１部材４３及び第２部材４４は、それぞれ、略矩形板状に形成された基部４５ａ，４５ｂを備えるとともに、各基部４５ａ，４５ｂの長手方向両端には、接続コード１０及びその対応する導子コード３が配置される凹部４７ａ，４７ｂが形成されている。なお、各凹部４７ａ，４７ｂは、略半円状の断面を有して各基部４５ａ，４５ｂの長手方向に延設されている。また、各基部４５ａ，４５ｂには、各凹部４７ａ，４７ｂに連接して、各フランジ４１に係合可能な係合孔４８ａ，４８ｂが形成されている。さらに、第１部材４３には、複数（４つの）の係合爪４９が形成されている。そして、本実施形態では、これら各係合爪４９が第２部材４４側の各係合孔４８ｂに係合することにより、その第１部材４３と第２部材４４との嵌合状態が維持されるようになっている。
【００２６】
すなわち、図２及び図３に示すように、接続コード１０及び各導子コード３は、互いのフランジ４１を対向させた状態で、第１部材４３及び第２部材４４間に挟み込まれる。なお、本実施形態の連結ケース４０では、第１部材４３及び第２部材４４間に隙間を設定することにより、その外部に導線３０を引き出すための導出口５０が形成されている。そして、連結ケース４０は、第１部材４３及び第２部材４４（の基部４５ａ，４５ｂ）の係合孔４８ａ，４８ｂが各フランジ４１に係合することによって、その対応する導子コード３と接続コード１０との間を相対移動不能に連結することが可能になっている。
【００２７】
また、ベース２０の凸面２０ａには、その長手方向に沿って平行に延びる一対の案内壁５１，５２が立設されている。そして、連結ケース４０は、これら案内壁５１，５２の間に配置されている。
【００２８】
具体的には、これら案内壁５１，５２の間隔は、連結ケース４０の短手方向幅（第１部材４３及び第２部材４４の短手方向幅）と略等しく設定されている。また、ベース２０の凸面２０ａ及びカバー２１には、その長手方向両端に、接続コード１０及び各導子コード３の挿通孔５３（図１参照）を形成する凹部５５，５６が形成されている。なお、挿通孔５３の内径は、接続コード１０及び各導子コード３のコード径よりも大径に設定されている。そして、これにより、連結ケース４０は、案内壁５１，５２をガイド部として、その長手方向に沿って、ベース２０の凸面２０ａ上、すなわち各導子４の内部を摺動することが可能となっている。
【００２９】
また、図１に示すように、接続コード１０は、ジョイント６０を介して二本の分割コード６１を接続することにより形成されている。そして、本実施形態の低周波治療器１は、そのジョイント６０を分割手段として用いることにより、接続コード１０を２つに分割して、そのコード環１１を開環する（開く）ことが可能になっている。
【００３０】
詳述すると、図５（ａ）（ｂ）に示すように、ジョイント６０は、棒状の雄型嵌合部６２を有する第１ジョイント６３と、その雄型嵌合部６２に嵌合する断面Ｃ字状の雌型嵌合部６５を備えた第２ジョイント６６とを備えてなる。
【００３１】
すなわち、各導子４との接続側を各分割コード６１の基端とすると、二本の分割コード６１のうち、一方の先端６１ａには、第１ジョイント６３が設けられ、他方の先端６１ｂには、第２ジョイント６６が設けられている。
【００３２】
なお、各分割コード６１の先端６１ａ，６１ｂには、それぞれ、板状のフランジ６７が設けられている。また、第１ジョイント６３及び第２ジョイント６６の内部には、そのフランジ６７に係合する係合凹部６８が形成されている。そして、第１ジョイント６３及び第２ジョイント６６は、上記連結ケース４０と同様、その係合凹部６８とフランジ６７との係合に基づいて、それぞれ、対応する各分割コード６１の先端６１ａ，６１ｂに固定されている。
【００３３】
ここで、雌型嵌合部６５は、弾性変形を許容する材料（例えば、樹脂等）を用いて形成されている。具体的には、雌型嵌合部６５は、筒体６５ａの周壁を切り欠くかたちで形成された開口部６５ｂを有している。そして、この開口部６５ｂの開口幅（切り欠かれた周方向幅）は、雄型嵌合部６２の直径よりも狭く設定されている。
【００３４】
すなわち、雄型嵌合部６２と雌型嵌合部６５との嵌合は、その開口部６５ｂを押し広げるように、雌型嵌合部６５の筒内６５ｃに雄型嵌合部６２を押し込むことにより行われる。なお、雌型嵌合部６５の内径は、雄型嵌合部６２の直径と略等しく設定されている。そして、その嵌合の解除は、雌型嵌合部６５の筒内６５ｃからその開口部６５ｂを押し広げるように、雄型嵌合部６２を引き出すことにより行われる。
【００３５】
次に、上記のように構成された低周波治療器の作用について説明する。
本実施形態では、接続コード１０の途中には、分割手段としてのジョイント６０が設けられている。これにより、そのコード環１１を開いた状態で、低周波治療器１を施療部位となる首に装着することが可能になる。そして、その後、再びジョイント６０を連結状態としてコード環１１を形成することにより、その本体２を首から吊り下げることが可能になる。
【００３６】
また、接続コード１０と各導子コード３とを接続する連結ケース４０は、各導子４内における摺動が許容されている。したがって、各導子４は、その連結ケース４０の摺動範囲において、コード環１１上を移動することができる。その結果、各導子４の配置を調整することが可能になる。
【００３７】
さらに、ジョイント６０による接続コード１０の分割は、断面Ｃ字状をなす雌型嵌合部６５の筒内６５ｃから、その開口部６５ｂを押し広げるように、雄型嵌合部６２を引き出すことにより行われる。したがって、使用者の手や腕等にコード環１１が引っ掛かった場合には、その接続コード１０に作用する引っ張り力に基づいて、接続コード１０が分割される。
【００３８】
以上、本実施形態によれば、以下のような効果を得ることができる。
（１）低周波治療器１は、低周波電流を発生する本体２と、本体２から延びる２本の導子コード３と、各導子コード３を介して本体２に接続された導子４と、各導子コード３間を接続して本体２を吊り下げ可能なコード環１１を形成する接続コード１０とを備える。
【００３９】
上記構成によれば、簡素な構成にて、首等の施療部位から本体２を吊り下げた状態で、その低周波治療を行うことができる。これにより、手に持つ等により本体２を支える手当が不要になる。その結果、例えば、作業をしながら、或いは移動しながら、その施療を行うことができるようになる。そして、軽量で自在に変形することが可能なコードを用いることによって、高い携帯性を実現することができる。
【００４０】
（２）接続コード１０は、各導子４を接続部として各導子コード３間を接続する。これにより、新たな構成要素を追加することなく、簡素な構成にて、各導子コード３間を接続することができる。
【００４１】
（３）各導子４は、接続コード１０と各導子コード３とを接続する連結ケース４０と、各導子４内における連結ケース４０の摺動を許容するガイド部としての案内壁５１，５２とを備える。これにより、各導子４は、その連結ケース４０の摺動範囲において、コード環１１上を移動することができる。その結果、各導子４の配置を調整して、より適切な施療を行うことができる。
【００４２】
（４）接続コード１０の途中には、分割手段としてのジョイント６０が設けられる。これにより、接続コード１０を分割し、コード環１１を開くことができる。その結果、その施療部位に対して容易に装着することができるようになる。特に、首を施療部位とする場合、頭をコード環１１に通して低周波治療器１を装着することで、そのパッドに髪の毛が絡まるおそれがある。しかしながら、上記構成によれば、コード環１１を開いて髪の毛の下側から低周波治療器１を装着し又は取り外すことができる。その結果、女性等、髪の長い使用者の利便性を大幅に向上させることができる。
【００４３】
（５）ジョイント６０は、接続コード１０に作用する引っ張り力に基づいて、その連結状態を解除する。これにより、使用者の手や腕等にコード環１１が引っ掛かった場合であっても、その引っ張り力に基づいて、接続コード１０が分割される。そして、そのコード環１１が開くことにより、施療部位に高い負荷がかかる状況を回避して、高い安全性を実現することができる。
【００４４】
（第２の実施形態）
以下、本発明を具体化した第２の実施形態について説明する。なお、第１の実施形態と同様の構成については、同一の符号を付して、その説明を省略する。
【００４５】
図６（ａ）（ｂ）に示すように、本実施形態の低周波治療器７１において、各導子７４の内部には、それぞれ、巻き取り機構７５が設けられている。そして、接続コード７０の両端（先端７０ａ）は、これらの２つの巻き取り機構７５に接続されている。
【００４６】
すなわち、本実施形態の低周波治療器７１は、これらの巻き取り機構７５を用いて、各導子７４内に接続コード７０を巻き取る、及び各導子７４から接続コード７０を引き出すことが可能となっている。なお、図６（ａ）は、接続コード７０が巻き取られた状態を示し、図６（ｂ）は、接続コード７０が引き出された状態を示す。また、各巻き取り機構７５には、その巻き取り位置を保持する周知のストッパ機能が備えられている。そして、本実施形態では、これにより、その接続部としての各導子７４間における接続コード７０のコード長を自在に調節することが可能になっている。
【００４７】
以上、本実施形態によれば、巻き取り機構７５を用いて接続コード７０のコード長を調節することで、各導子４の配置を自在に調整することができる。その結果、首に限らず、例えば、肩や背中等、様々な施療部位に対して、より適切な施療を行うことができるようになる。そして、接続コード７０を短く巻き取ることで、その収納性及び携帯性を大幅に向上させることができる。
【００４８】
（第３の実施形態）
以下、本発明を具体化した第２の実施形態について説明する。なお、第１の実施形態と同様の構成については、同一の符号を付して、その説明を省略する。
【００４９】
図７に示すように、本実施形態の低周波治療器８１では、各導子コード３は、第１導子コード８３及び第２導子コード８４を接続することにより形成される。具体的には、これらの第１導子コード８３及び第２導子コード８４は、それぞれ、コネクタ８５を介して電気的及び物理的に接続されている。また、各導子４は、その第２導子コード８４の先端に設けられている。そして、接続コード８０は、そのコネクタ８５を接続部として、各導子コード３を接続する構成となっている。
【００５０】
以上、本実施形態によれば、各導子コード３におけるコネクタ８５よりも先端側、すなわち各導子４が設けられた第２導子コード８４を自在に動かすことができる。これにより、各導子４の配置を自在に調整することができる。その結果、より適切な施療を行うことができるようになる。
【００５１】
なお、上記各実施形態は以下のように変更してもよい。
・上記第１の実施形態では、本発明を、主に首を施療部位とした低周波治療器１に具体化したが、必ずしも特定の施療部位に最適化したものでなくともよい。
【００５２】
・上記第１の実施形態では、板状電極２２に形成された折り返し片２５ｃに導線３０を接合することにより、各導子４と各導子コード３とが、電気的に接続されることした。
しかし、これに限らず、接続具としての連結ケース４０及びガイド部としての各案内壁５１，５２を接点として、各導子４と各導子コード３とが電気的に接続される構成としてもよい。これにより、各導子４内における導線３０の配線が簡略化される。そして、連結ケース４０の摺動に伴う導線３０の脱落を抑えて、高い信頼性を確保することができる。
【００５３】
なお、このような構成は、連結ケース４０及び各案内壁５１，５２を金属等の導電材料により形成する。そして、各導子コード３の導線３０を連結ケース４０に接合し、各案内壁５１，５２を板状電極２２に接合する等によって、容易に具体化することができる。
【００５４】
・上記第１の実施形態では、ベース２０の凸面２０ａに形成された各案内壁５１，５２をガイド部とすることとしたが、ガイド部の構成は、必ずしもこれに限るものではない。そして、接続具の構成についても、実施例に開示した連結ケース４０に限るものではない。
【００５５】
・また、接続コード１０の先端１０ａ及び各導子コード３の先端３ａが各導子４に固定された構成、すなわち、各導子４がコード環１１上を移動できない構成に具体化してもよい。
【００５６】
・上記第１の実施形態では、接続コード１０は、ジョイント６０を介して二本の分割コード６１を接続することにより形成されることとした。しかし、これに限らず、３本以上に分割可能な接続コードを用いてもよい。そして、接続コードの途中に分割手段が設けられていないものに具体化してもよい。
【００５７】
・また、ジョイント６０は、雄型嵌合部６２と雌型嵌合部６５との嵌合に基づいて、二本の分割コード６１を接続することとした。しかし、これに限らず、例えば、嵌合以外の方法で連結及びその解除を行うものを採用してもよい。そして、その装着及び取り外しの利便性を重視する場合、引っ張り力に基づく接続状態の解除については、必ずしも考慮しなくともよい。
【００５８】
・さらに、分割手段は、ジョイント６０のように、その連結状態を任意に解除することのできるものでなくともよい。すなわち、過大な引っ張り力が作用した場合にのみ、接続コードが分割されるようにしてもよい。なお、これは、例えば、接続コードの途中に、少なくとも一つ、予め引張強度の低い部分を設定する等によって、容易に具体化することができる。
【００５９】
・上記第２の実施形態では、各導子７４に設けられた巻き取り機構７５を調節手段に用いることとした。しかし、これに限らず、例えば、その各導子７４内に接続コード７０の両端（先端７０ａ）を束ねる等、巻き取り以外の方法により、そのコード長を調節可能なものを調節手段とする構成であってもよい。
【００６０】
・また、上記第３の実施形態における各コネクタ８５のように、各導子４以外の構成を接続部とする場合にも、その接続部に巻き取り機構７５等のような調節手段を設けるとよい。
【００６１】
・さらに、上記第２の実施形態では、各導子７４の両方に巻き取り機構７５を設けることとしたが、少なくとも何れか一方に調節手段が設けられる構成としてもよい。このような構成としても、その収納性及び携帯性の向上を図ることができる。ただし、各導子７４の位置調整機能を考慮するならば、両方の各導子７４に設けることが望ましい。
【００６２】
・また、上記第２の実施形態では、調節手段としての巻き取り機構７５は、接続コード７０のコード長を調節可能であることとした。しかし、これに限らず、各導子コード３のコード長を調節可能な構成としてもよい。さらに、接続コード７０及び各導子コード３の少なくとも一つのコード長を調節可能な構成としてもよい。なお、これは、例えば、各導子７４に、それぞれ、２つの巻き取り機構を設ける等によって、容易に具体化することができる。そして、全てのコードを巻き取り可能とすることで、その収納性及び携帯性を大幅に向上させることができる。
・本体２及び各導子４（７４）の形状は、上記各実施形態に開示した形状でなくともよく、任意に変更してもよい。
【００６３】
（課題を解決するための手段に関する付記）
〔付記１〕：低周波電流を発生する本体と、前記本体から延びる２本の導子コードと、前記各導子コードを介して前記本体に接続された導子と、前記各導子コード間を接続して前記本体を吊り下げ可能なコード環を形成する接続コードとを備えた低周波治療器。
〔付記２〕：前記接続コードは、前記各導子を接続部として前記各導子コード間を接続する〔付記１〕に記載の低周波治療器。
〔付記３〕：前記各導子は、前記接続コードと前記各導子コードとを接続する接続具と、前記各導子内における前記接続具の摺動を許容するガイド部と、を備える〔付記２〕に記載の低周波治療器。
〔付記４〕：前記各導子は、前記接続具及びガイド部を接点として前記各導子コードと電気的に接続される〔付記３〕に記載の低周波治療器。
〔付記５〕：前記各導子コードは、コネクタを介して第１導子コード及び第２導子コードを接続してなるとともに、前記接続コードは、前記コネクタを接続部として前記各導子コード間を接続する〔付記１〕に記載の低周波治療器。
〔付記６〕：前記接続コードには、該接続コードを分割可能な分割手段が設けられる〔付記１〕〜〔付記５〕のいずれか一項に記載の低周波治療器。
〔付記７〕：前記分割手段は、前記接続コードに作用する引っ張り力に基づいて、該接続コードを分割する〔付記６〕に記載の低周波治療器。
〔付記８〕：前記接続コードと前記各導子コードとの接続部の少なくとも一方には、前記接続コード及び前記各導子コードの少なくとも何れか一つのコード長を調節可能な調節手段が設けられる〔付記１〕〜〔付記７〕のいずれか一項に記載の低周波治療器。
〔付記９〕：低周波治療器であって、前記低周波治療器は、本体、第１導子、第２導子、第１導子コード、第２導子コード、接続コード、第１ガイド構造、および、第２ガイド構造を有し、前記本体は、低周波電流を出力するための構造を有し、前記第１導子コードは、前記本体と前記第１導子とを電気的に接続し、前記第２導子コードは、前記本体と前記第２導子とを電気的に接続し、前記接続コードは、前記第１導子と前記第２導子とを互いに接続し、前記第１導子コード、前記第２導子コード、および、前記接続コードは、前記本体を吊り下げることが可能なコード環を構成し、前記第１ガイド構造は、前記第１導子を前記コード環に沿って前記コード環に対して移動させ、前記第２ガイド構造は、前記第２導子を前記コード環に沿って前記コード環に対して移動させる低周波治療器。
〔付記１０〕：低周波治療器であって、前記低周波治療器は、本体、第１導子、第２導子、第１導子コード、第２導子コード、および、接続コードを有し、前記本体は、低周波電流を出力するための構造を有し、前記第１導子および前記第２導子のそれぞれは、導子本体、電極、ガイド部、および、接続具を有し、前記導子本体は、基礎部および被覆部を有し、前記基礎部と前記被覆部とが互いに組み合わせられることにより構成され、前記基礎部および前記被覆部に囲まれた内部空間を有し、前記ガイド部は、前記基礎部に形成され、前記内部空間に配置され、前記接続具は、前記ガイド部に嵌め込まれ、前記ガイド部に沿って前記ガイド部に対して移動し、前記電極は、前記基礎部に取り付けられ、前記第１導子コードは、前記本体と前記第１導子の接続具とを互いに接続し、前記第１導子コードの導線は、前記第１導子の電極と接続され、前記第２導子コードは、前記本体と前記第２導子の接続具とを互いに接続し、前記第２導子コードの導線は、前記第２導子の電極と接続され、前記接続コードは、前記第１導子の接続具と前記第２導子の接続具とを互いに接続し、前記第１導子コード、前記第２導子コード、および、前記接続コードは、前記本体を吊り下げることが可能なコード環を構成している低周波治療器。
〔付記１１〕：低周波治療器であって、前記低周波治療器は、本体、第１導子、第２導子、第１導子コード、第２導子コード、および、接続コードを有し、前記本体は、低周波電流を出力するための構造、周囲面、底面、突出部、スイッチ、および、表示部を有し、前記周囲面は、互いに連続し、かつ、表裏の関係を形成する表面および裏面を有し、前記突出部は、前記本体の一方の端部に形成され、前記底面は、前記本体の他方の端部に形成され、前記表面および前記裏面のそれぞれと連続し、前記スイッチは、前記底面に形成され、前記表示部は、前記表面に形成され、前記第１導子コードは、前記突出部と前記第１導子とを電気的に接続し、前記第２導子コードは、前記突出部と前記第２導子とを電気的に接続し、前記接続コードは、前記第１導子と前記第２導子とを互いに接続し、または、前記第１導子コードと前記第２導子コードとを互いに接続し、前記第１導子コード、前記第２導子コード、および、前記接続コードは、前記本体を吊り下げることが可能なコード環を構成している低周波治療器。
〔付記１２〕：低周波治療器であって、前記低周波治療器は、本体、第１導子、第２導子、第１導子コード、第２導子コード、および、接続コードを有し、前記本体は、低周波電流を出力するための構造を有し、前記第１導子および前記第２導子のそれぞれは、導子本体、電極、ガイド部、および、接続具を有し、前記電極は、前記導子本体に取り付けられ、前記ガイド部と電気的に接続され、前記ガイド部は、前記導子本体に形成され、前記接続具は、前記ガイド部に嵌め込まれ、前記ガイド部と電気的に接続され、前記ガイド部に沿って前記ガイド部に対して移動し、前記第１導子コードは、前記本体と前記第１導子の接続具とを電気的に接続し、前記第２導子コードは、前記本体と前記第２導子の接続具とを電気的に接続し、前記第１導子コード、前記第２導子コード、および、前記接続コードは、前記本体を吊り下げることが可能なコード環を構成している低周波治療器。
【符号の説明】
【００６４】
１    ：低周波治療器
２    ：本体
３    ：導子コード
４    ：導子
６    ：導電性ゴム
１０  ：接続コード
１１  ：コード環
２０  ：ベース
２０ａ：凸面
２０ｂ：凹面
２１  ：カバー
２２  ：板状電極
２５  ：折り返し片
２５ａ：折り返し片
２５ｂ：折り返し片
２５ｃ：折り返し片
３０  ：導線
４０  ：連結ケース
４１  ：フランジ
５０  ：導出口
５１  ：案内壁
５２  ：案内壁
５３  ：挿通孔
６０  ：ジョイント
６１  ：分割コード
６２  ：雄型嵌合部
６３  ：第１ジョイント
６５  ：雌型嵌合部
６６  ：第２ジョイント
６７  ：フランジ
６８  ：係合凹部
７０  ：接続コード
７１  ：低周波治療器
７４  ：導子
７５  ：巻き取り機構
８０  ：接続コード
８１  ：低周波治療器
８３  ：第１導子コード
８４  ：第２導子コード
８５  ：コネクタ
【図１】
0005613638.tif 000002
【図２】
0005613638.tif 000003
【図３】
0005613638.tif 000004
【図４】
0005613638.tif 000005
【図５】
0005613638.tif 000006
【図６】
0005613638.tif 000007
【図７】
0005613638.tif 000008